(57)【特許請求の範囲】
【請求項１】
内部に発光源が封装されたガラスバルブと；
このガラスバルブに接合された点灯経過とともに酸化変色する地金金属の表面にこの地金金属より高耐熱性のメッキ層を施したシェルを有する口金と；
この口金のシェルにレーザ光によりメッキ層を貫通して地金金属の内部までを侵蝕して地金金属が露出するように形成した表示と；
を具備していることを特徴とするランプ。
【請求項２】
内部に発光源が封装されたガラスバルブと；
このガラスバルブが取着された反射鏡と；
この反射鏡に接合された点灯経過とともに酸化変色する地金金属の表面にこの地金金属より高耐熱性のメッキ層を施したシェルを有する口金と；
この口金のシェルにレーザ光によりメッキ層を貫通して地金金属の内部までを侵蝕して地金金属が露出するように形成した表示と；
を具備していることを特徴とするランプ。
【請求項３】
口金は、シェルを形成する地金金属が真鍮で、その表面にニッケルメッキ層が施してあることを特徴とする請求項１または請求項２に記載のランプ。
【請求項４】
発光源が，発光するコイル状フィラメントを備えた電球または放電電極を備えた放電ランプであることを特徴とする請求項１ないし請求項３のいずれか一に記載のランプ。
【請求項５】
装置本体と；
この本体に設けられたソケットと；
このソケットに装着された上記請求項１ないし請求項４のいずれかの項に記載のランプと；
を具備していることを特徴とする照明装置。
【発明の詳細な説明】
【０００１】
【発明の属する技術分野】
本発明は、電球や放電ランプ等の口金部分に表示を施したランプおよびこのランプを装着した照明器具等の照明装置に関する。
【０００２】
【従来の技術】
電球や放電ランプ等のランプには品種、定格、商標、製造者等を示す表示がなされている。この表示マークはたとえば使用者や消費者が器具に取付けられているランプが不点となりランプを交換するのに当たり、寸法、電圧や発光色などの合わない異品種のランプを購入するのを防いだりあるいはストックしてあるランプを器具に取付けるのに適合するものであるか否かを確認するのに必要なものである。
【０００３】
そして、表示マークはガラスバルブや口金あるいはグローブに施されている。この表示マークは、ランプのガラスバルブ部分にインキを用い捺印している場合が多いが、バルブ部分が小形や小径で曲率が大きく、かつ、滑面状のガラス面では、マーキング作業がし難く、特に内面捺印は困難であり、小形ランプの場合は口金に表示している。
【０００４】
そして、たとえばＥ型口金の場合は、シェル部のねじ部の終端から外れた開口部に近いほぼ円筒状をなす外面部分に表示がなされている。この表示はバルブに接合した口金に品種マーク等をインキを用い捺印したり、口金が部品のうちに刻印したりしていた。しかし、捺印の場合は、捺印が擦れたり口金の酸化変色がすすむことによって表示が見えにくくなったり甚しい場合には消えてしまうことがあった。また、刻印の場合は、消えることはないが予め表示されているため他の品種への使用ができず、作業や部品管理が面倒であった。
【０００５】
また、近年、この種小形ランプは、小形、高効率化がはかられている関係から点灯時には温度上昇も激しく、口金も高温度となって点灯経過するに従い酸化がすすんで電気的接続が損なわれる問題がある。そこで、高耐熱性の口金が要求され、口金材質がアルミニウムや真鍮等から酸化し難い真鍮地金にニッケルメッキを施したものが採用されている。
【０００６】
そして、最近は真鍮地金にニッケルメッキを施した口金へのマーキングは、上記捺印や刻印に変えてレーザによる侵蝕によって行われている。これは、レーザ装置に品種、定格、商標等の表示事項を予め設定しておき、この設定に沿ってレーザ光を照射して、この照射部分のニッケルメッキ層内を侵蝕し溶解することによって数字や文字等を溝状や点状等の凹部で描き所定の表示を行わせていた。
【０００７】
【発明が解決しようとする課題】
しかし、このようにニッケルメッキ層内のみを侵蝕して表示としたものは、ニッケルの金属光沢により表示が不鮮明で非常に見にくく、ランプの交換時に表示がよく見えなくなってきて、交換に不便を来たすという問題がある。
【０００８】
また、電気部品において品名等の表示をレーザ光により行うことは、たとえば実開昭６１−１６５５７４号公報により知られている。この公報の記載によれば部品の表面に表示を行うときに、その表面上にコーティング材を形成しておいて、レーザ光でコーティング材を所望の形にトリミングすることによって、コーティング材のみまたは部品の表面にまで表示を形成するようにしている。
【０００９】
しかし、このものにはコーティング材や部品の材料には言及しておらず、トリミングが失敗したときには再度コーティングをやり直せばよいとされている。したがって、この公報に係るものは金属やメッキ等が対象とはなっていないものと解される。
【００１０】
本発明は上記事情に鑑みなされたもので、口金が高温度等に長期に亘り晒されても、見えにくくならない表示を施したランプおよびこのランプを装着した照明装置を提供することを目的とする。
【００１１】
【課題を解決するための手段】
本発明の請求項１に記載のランプは、内部に発光源が封装されたガラスバルブと、このガラスバルブに接合された点灯経過とともに酸化変色する地金金属の表面にこの地金金属より高耐熱性のメッキ層を施したシェルを有する口金と、この口金のシェルにレーザ光によりメッキ層を貫通して地金金属の表面までを侵蝕して地金金属が露出するように形成した表示とを具備していることを特徴とする。
【００１２】
ランプの点灯経過とともに、口金シェル部の地金金属のレーザ光により侵蝕（エッチング）して露出させた表示部分が酸化変色してきて、高耐熱性のメッキ層との色差が大きく見える作用を奏する。
【００１３】
なお、本発明でいう口金とは、実施の形態で示した捩込み型（Ｅ型やＥＺ型）口金に限らず、差込み型（ＢＡ型）や位置調節環付きの鍔付き型（Ｐ型）等、金属シェルやスカート部を有する口金を指すものである。
【００１４】
また、バルブも実施の形態で示した形状に限定されず、Ａ形、Ｇ形、Ｒ形、ＢＴ形、ＰＳ形、Ｔ形等であってもよい。
【００１５】
本発明の請求項２に記載のランプは、内部に発光源が封装されたガラスバルブと、このガラスバルブが取着された反射鏡と、この反射鏡に接合された点灯経過とともに酸化変色する地金金属の表面にこの地金金属より高耐熱性のメッキ層を施したシェルを有する口金と、この口金のシェルにレーザ光によりメッキ層を貫通して地金金属の表面までを侵蝕して地金金属が露出するように形成した表示とを具備していることを特徴とする。
【００１６】
反射鏡付きのランプに適用して、上記請求項１に記載したと同様な作用を奏する。
【００１７】
本発明の請求項３に記載のランプは、口金のシェルを形成する地金金属が真鍮で、その表面にニッケルメッキ層が施してあることを特徴とする。
【００１８】
真鍮の表面にこの金属より高耐熱性のニッケル層を形成することによって、上記請求項１および請求項２に記載したと同様な作用を奏する。
【００１９】
本発明の請求項４に記載のランプは、発光源が，発光するコイル状フィラメントを備えた電球または放電電極を備えた放電ランプであることを特徴とする。
【００２０】
本発明は各種の電球および高圧放電ランプ等点灯時に高温度となるランプの品種等の表示に適用して、上記請求項１ないし請求項３に記載したと同様な作用を奏する。
【００２１】
なお、発光源とは電球の場合はコイル状フィラメントを、また、放電ランプの場合は放電電極を指すものである。
【００２２】
本発明の請求項５に記載の照明装置は、装置本体と、この本体に設けられたソケットと、このソケットに装着された上記請求項１ないし請求項４のいずれかの項に記載のランプとを具備していることを特徴とする。
【００２３】
照明装置に適合できるランプの品種や定格などの表示が明らかにされ、異種のランプを誤って取付けるようなことを防ぐことができる。
【００２４】
【発明の実施の形態】
以下、本発明の実施の形態を図１および図２に示す、たとえばショーウインド、ディスプレイやスタンド等に用いられる小形白熱電球Ｌ１を参照して説明する。図１は正面図、図２は口金部の要部の縦断面図である。
【００２５】
図中１は頂部側が球形をなすＰＳ形やＡ形の最大径部が約３５ｍｍのガラスバルブ、２はこのバルブ１の端部に封止られたステム、３はステム２に植設した内部リード線４ａ、４ｂに継線された発光源をなすコイル状フィラメント、４ｃ、４ｄはステム２から導出された外部リード線で封着線（図示しない。）を介し上記内部リード線４ａ、４ｂと接続している。また、バルブ１内にはクリプトン等の不活性ガスが封入されている。
【００２６】
また、５はたとえば外径が約１７ｍｍのＥ１７と呼ばれる捩込み型（Ｅ型）の口金である。この口金５は、たとえば地金金属５２が厚さ約０．２〜０．２５ｍｍ程度の真鍮（黄銅）製の周囲にねじ部を有する円筒状のシェル５１と、このシェル５１の表面に厚さが１〜３μｍｍ程度で施された地金金属５２より高耐熱性のニッケルメッキ層５３（ＭＤ）と、底部に黒ガラスからなる絶縁体５４を介して形成したアイレット端子５５とからなる。
【００２７】
また、上記バルブ１端部のステム２との封止部（図示しない。）にはこの口金５が接着剤を介して接合されているとともに、上記シェル５１およびアイレット端子５５には外部リード線４ｃ、４ｄの先端部が溶接や半田付けにより接続されている。
【００２８】
そして、上記口金５のシェル５１の開口部からねじ部の終端部にかけての幅が約３．５〜５ｍｍの円筒状部５６に、高さが約２〜２．５ｍｍ程度の大きさの文字や数字等からなる品種、定格、商標や製造者等の表示６がなされている。また、これら文字や数字等の表示６は、シェル５１の外表面に施されたニッケルメッキ層５３を貫通して真鍮からなる地金金属５２の表面から約０．２〜２．５μｍｍ程度の深さ（ＢＤ）、ニッケルメッキ層５３からで約３．２〜３．５μｍｍ程度の深さ（Ｄ）の溝状や点状の凹部をなしていて、正面方向から見るとたとえば１００／１１０Ｖ６０Ｗの表示６をしているのが分かる。
【００２９】
これは上記口金５の開口部から円筒状部５６を縦断拡大した図２に示すように、円筒状部５６に形成された表示６、たとえば『１』の断面は、ニッケルメッキ層５３のレーザ光により侵蝕溶解された部分６１、地金金属５２の表面がレーザ光により侵蝕溶解された部分６２で、縦方向に凹（溝）状部が形成される。
【００３０】
この表示６の形成手段は従来と同じで、レーザ装置に品種、定格、商標等を予め設定しておき、この設定に沿ってレーザ光を照射して、この照射部分のニッケルメッキ層５３および地金金属５２の表面側を侵蝕して溶解することによって所定の数字や文字等を溝状や点状等の凹部で描き所定の表示６を行わせることができる。
【００３１】
そして、このような表示６をした小形電球Ｌ１は、点灯経過とともに口金５のニッケルメッキ層５３より耐熱性の劣る真鍮地金５２が徐々に酸化変色してきて、寿命末期近くには侵蝕溶解により真鍮地金５２が露出している表示６部は銅色となる。
【００３２】
したがって、真鍮地金５２が露出して銅色となった表示６部と、酸化変色の少ないニッケルメッキ層５３の銀色とは色差が大きく、銅色の表示６がよく見え、ランプ交換等に際し従来装着されていた電球Ｌ１の品種がただちに正確に確認できるので、異種の電球を装着してしまう等の不具合を生じることがない。
【００３３】
また、図３は本発明の電球Ｌ２の他の実施の形態を示し、図中、図１と同一部分には同一の符号を付してその説明は省略する。この図３は、ＰＡＲ型と称される反射形電球Ｌ２であって、反射鏡７内の中央に一端封止型のハロゲン電球Ｌ３が配設され内部リード線４ａ、４ｂにより保持されている。そして、この反射鏡７の中央の基体部７１と、捩込み型（Ｅ型）の口金５先端スカート部５７の開口部とが凹凸等の係止手段で接合されている。なお、図中７２は反射鏡７の前面に設けられたレンズ等の制光体である。
【００３４】
そして、この口金５も、真鍮地金５２からなるシェル５１およびスカート部５７の表面にニッケルメッキ層５３が施されている。また、この口金５のスカート部５７には上述した実施の形態と同様なレーザ光による手段で、電球Ｌ３の品種、定格、商標や製造者の表示６が付してある。
【００３５】
したがって、この反射形電球Ｌ２は、内部のハロゲン電球Ｌ３の点灯により温度が上昇し、口金５部も相当高温度になり経時とともに酸化変色がすすむが、スカート部５７に形成した表示６が表面のニッケルメッキ層５３とは異なる色相をしているので容易に判別が可能で、品種等をよく視認できる上記と同様な作用効果を奏する。
【００３６】
また、図４は本発明の照明装置の実施の形態を示す斜視図である。図４はたとえば上記実施の形態に示した小形電球Ｌ１を用いるショーウインドウ用の照明装置（照明器具）８である。図中８１は筐体からなる照明器具本体で、この本体８１には建物などへの取付具（図示しない。）、反射鏡８２およびソケット８３が設けられている。また、８４はソケット８３に接続した給電線である。
【００３７】
そして、この照明装置（照明器具）８のソケット８３に装着した電球Ｌ１は、給電線８４を介し通電され点灯する。この電球Ｌ１がたとえば寿命に至り、新しい電球と交換するに際し、この寿命に至った電球Ｌ１の口金５への品種等の表示６が未だ鮮明で、その判読が容易にでき、誤りなく新しい電球を選び交換することができる。
【００３８】
【発明の効果】
本発明の請求項１ないし請求項４の発明によれば、口金が酸化変色しても品種等の表示がよく分かる高い視認性を有する白熱電球や放電ランプ等を提供することができる。
【００３９】
また、本発明の請求項５の発明によれば、器具等に装着されたランプの品種や定格の表示が容易に視認判読できるので、ランプ交換時などに誤りなく新しいランプを用意できる。
【図面の簡単な説明】
【図１】本発明のランプ（小形電球）の実施の形態を示す正面図である。
【図２】図２の要部の拡大縦断面図である。
【図３】本発明のランプ（反射形電球）の他の実施の形態を示す正面図である。
【図４】本発明の照明装置の実施の形態を示す一部切欠斜視図である。
【符号の説明】
Ｌ１：ランプ（小形電球）
Ｌ２：ランプ（反射形電球）
１：ガラスバルブ
１１：封止部
３：発光源（コイル状フィラメント）
５：口金
５１：シェル
５２：地金金属（真鍮地金）
５３：メッキ層（ニッケルメッキ層）
６：表示
７：反射鏡
８；照明装置（照明器具）
【図１】
0003684765.tif 000002
【図２】
0003684765.tif 000003
【図３】
0003684765.tif 000004
【図４】
0003684765.tif 000005